(57)【要約】　　　（修正有）【課題】少なくとも３箇月分の暦を印刷したカレンダー用紙を少なくとも１年分重ね、過ぎた月の暦を切り離すことができるカレンダーの使い勝手を良くし、かつ、意匠的にも優れたものを提供すること。【解決手段】少なくとも３箇月分の暦を印刷したカレンダー用紙１１を少なくとも１年分重ね、経過した月の暦を切り離すことができるカレンダー１において、前記カレンダー用紙から経過した月の暦を切り離すことによって表れる暦が、該暦の前の月の暦と常に隣接することを特徴とする。また、カレンダー用紙には、経過した月の暦が切り離せるようにミシン目１ａを施している。【選択図】　　図１
0003098614.tif 000002
【実用新案登録請求の範囲】
【請求項１】
少なくとも３箇月分の暦を印刷したカレンダー用紙を少なくとも１年分重ね、経過した月の暦を切り離すことができるカレンダーにおいて、前記カレンダー用紙から経過した月の暦を切り離すことによって表れる暦が、該暦の前の月の暦と常に隣接することを特徴とするカレンダー。
【請求項２】
前記カレンダー用紙は、三角形又は逆三角形であることを特徴とする請求項１記載のカレンダー。
【請求項３】
前記カレンダー用紙は、四角形であることを特徴とする請求項１記載のカレンダー。
【請求項４】
前記カレンダー用紙は、六角形であることを特徴とする請求項１記載のカレンダー。
【請求項５】
前記カレンダー用紙には、経過した月の暦が切り離せるようにミシン目が施されていることを特徴とする請求項１乃至請求項４のいずれか記載のカレンダー。
【考案の詳細な説明】
【０００１】
【考案の属する技術分野】
本考案は、少なくとも３箇月分の暦を印刷したカレンダー用紙を少なくとも１年分重ね、過ぎた月の暦を切り離すことができるカレンダーに関するものである。
【０００２】
【従来の技術】
今日においては、各種のカレンダーに関する考案が提案されている。その中には、実開昭６３−１９１０５４号公報をはじめとした複数箇月分の暦を一度に表示することができるカレンダーが多数存在する。
【０００３】
図７（ａ）及び図７（ｂ）は、これら従来の複数箇月を表示するカレンダーを示す説明図である。
図において、符号１００は複数箇月を表示するカレンダーである。このカレンダー１００は、１枚に３箇月分の暦を印刷したカレンダー用紙１１０，１２０，１３０，１４０の４枚を重ね合わせ、各カレンダー用紙１１０，１２０，１３０，１４０の暦掲載部分を１箇月分づつ切り離せるようにミシン目１００ａを施したものである。
【０００４】
そして、例えば１月が経過すると、カレンダー用紙１１０に印刷された１月の暦１１０ａをミシン目１００ａに沿って切り離すことにより、次のカレンダー用紙１２０に印刷された４月の暦１２０ａが表れる。
このように、カレンダー１００を使用した場合、経過した月の暦を切り離すことにより、常に２箇月先までの暦を１度に表示することができる。
【０００５】
しかしながら、上述した従来のカレンダー１００は、暦掲載部分を全く切り離さない状態においては連続した３箇月分の暦が左に向かって順次連続するものの、暦掲載部分を切り離した状態においては３箇月分の暦が順次連続しないという問題があった。すなわち、１月が経過して１月の暦を切り離した場合、表示される暦は２月、３月及び４月の３箇月分であるが、その順序は左から４月、２月及び３月となる。このため、カレンダーの利用者は、当月である２月の位置を確認した後、翌月である３月、翌々月である４月と右へ左へとカレンダーを見なければならず使い勝手が悪く、また、カレンダーの見た目の印象も違和感を感ずるものであった。
【０００６】
【発明が解決しようとする課題】
このため、特開２０００−３４３８５９号公報にはこのような問題を解決したカレンダーが提案されている。
このカレンダーは、１月から１２月までを月単位で表示する１２枚のカレンダー用紙のうち１月、４月、７月及び１０月分のカレンダー用紙を順次重ねたカレンダー用紙積層体と、２月、５月、８月及び１１月のカレンダー用紙を順次重ねたカレンダー用紙積層体と、３月、６月、９月及び１２月分のカレンダー用紙を順次重ねたカレンダー用紙積層体と、これら３つのカレンダー用紙積層体を同時かつ着脱自在に支持して連続する３箇月分の暦を一度に表示する支持体とから構成されている。
【０００７】
そして、例えば、１月が経過すると１月の暦が先頭に位置するカレンダー用紙積層体を支持体から抜き取り、１月分の暦を切り取って４月の暦を表示した後、２月、３月、４月の暦を順番に支持体へ挿入することによって、２月、３月及び４月の暦を順次連続して表示することができる。すなわち、このカレンダーは、常に３箇月分の暦を順次連続して表示することができる。
【０００８】
しかしながら、このカレンダーを使用した場合、上述のように、月が変わる毎にカレンダー用紙積層体を支持体から出し入れするという煩雑な作業が必要となるという技術的な課題を有していた。
【０００９】
そこで、本考案は上記の技術的な課題を解決し、使い勝手がよく、かつ、意匠的にも優れたカレンダーを提供することを目的とする。
【００１０】
【課題を解決するための手段】
上記課題を解決するためになされた本考案は、少なくとも３箇月分の暦を印刷したカレンダー用紙を少なくとも１年分重ね、経過した月の暦を切り離すことができるカレンダーにおいて、前記カレンダー用紙から経過した月の暦を切り離すことによって表れる暦が、該暦の前の月の暦と常に隣接することを特徴とする。
【００１１】
また、前記カレンダー用紙は、三角形（逆三角形）、四角形又は六角形であることが好ましい。さらに、前記カレンダー用紙には、経過した月の暦が切り離せるようにミシン目が設けられていることが好ましい。
【００１２】
【考案の実施の形態】
以下、本考案の実施の形態を図面に基いて説明する。
ここで、図１は本考案の第一の実施形態に係るカレンダーの説明図、図２は本考案の第一の実施形態に係るカレンダーの各カレンダー用紙の説明図、図３は本考案の第一の実施形態に係るカレンダーの使用状態を示す説明図、図４は本考案の第二の実施形態に係るカレンダーの説明図、図５は本考案の第三の実施形態に係るカレンダーの説明図、図６は本考案のその他のバリエーションについての説明図を示している。
【００１３】
まず、本考案に係るカレンダーの第一の実施形態について図１乃至図３に基いて説明する。
図において、符号１は本考案に係るカレンダーを示している。このカレンダー１は３箇月分の暦が印刷された逆三角形状のカレンダー用紙１１，１２，１３，１４を重ね合わせて４枚綴りにしたものである。すなわち、カレンダー１は、１枚目のカレンダー用紙１１に１月、２月及び３月の暦１１ａ，１１ｂ，１１ｃが印刷され、２枚目のカレンダー用紙１２に４月、５月及び６月の暦１２ａ，１２ｂ，１２ｃが印刷され、３枚目のカレンダー用紙１３に７月、８月及び９月の暦１３ａ，１３ｂ，１３ｃが印刷され、４枚目のカレンダー用紙１４には１０月、１１月及び１２月の暦１４ａ，１４ｂ，１４ｃが印刷され、これらのカレンダー用紙１１，１２，１３，１４を綴部１５で一体としたものである。
【００１４】
また、カレンダー用紙１１，１２，１３，１４には、一番下の位置に１月、４月、７月、１０月の暦１１ａ，１２ａ，１３ａ，１４ａが、その左上の位置に２月、５月、８月、１１月の暦１１ｂ，１２ｂ，１３ｂ，１４ｂが、さらに、その隣りの位置に３月、６月、９月、１２月の暦１１ｃ，１２ｃ，１３ｃ，１４ｃが印刷されている。すなわち、各カレンダー用紙１１，１２，１３，１４に印刷される３箇月分の暦は、各カレンダー用紙１１，１２，１３，１４の一番下に位置する暦１１ａ，１２ａ，１３ａ，１４ａから時計回りに順次連続するようになっている。
【００１５】
さらに、各カレンダー用紙１１，１２，１３，１４の夫々には、暦と暦の間にミシン目１ａが、また、暦と綴部１５との間にはミシン目１ｂが施されている。これにより、ミシン目１ａ，１ｂを利用して経過した月の暦を簡単に切り離すことができるようになっている。
【００１６】
次に、上述した第一の実施形態におけるカレンダー１の使用例を説明する。
まず、１月が経過した場合について説明すると、図３（ａ）に示すように、カレンダー用紙１１に印刷された１月の暦１１ａをミシン目１ａに沿って切り離す。この作業により、カレンダー用紙１２に印刷される４月の暦１２ａが表れる。ここで、上述のようにカレンダー用紙１１に印刷される３箇月分の暦は、１月の暦１１ａから時計回りに順次連続するようになっているため、経過した１月の暦１１ａを切り離すことにより表れた４月の暦１２ａは、その前の月である３月の暦１１ｃと隣接する。よって、カレンダーの利用者は２月の暦１１ｂ、３月の暦１１ｃ、４月の暦１２ａと暦を時計回りに順次連続して見ることができる。
【００１７】
また、２月が経過した場合には、図３（ｂ）に示すように、カレンダー用紙１１に印刷された２月の暦１１ｂをミシン目１ａ，１ｂに沿って切り離す。この作業により、カレンダー用紙１２に印刷された５月の暦１２ｂが表れる。
ここで、上述のようにカレンダー用紙１２に印刷される３箇月分の暦が４月の暦１２ａから時計回りに順次連続するようになっているため、５月の暦１２ｂは、その前の月である４月の暦１２ａと隣接することになる。よって、カレンダーの利用者は、３月の暦１１ｃ、４月の暦１２ａ、５月の暦１２ｂと時計回りに順次連続して見ることができる。
【００１８】
さらに、３月が経過した場合には、３月の暦１１ｃをミシン目１ａ，１ｂに沿って切り離すことにより、カレンダー用紙１２に印刷された６月の暦１２ｃが表れる。この作業により、カレンダー用紙１１は全て無くなり、カレンダー用紙１２がカレンダー１の前面に表れるため、カレンダーの利用者は、４月の暦１２ａ、５月の暦１２ｂ、６月の暦１２ｃと時計回りに順次連続して見ることができる。
なお、詳細な説明は省略するが、４月以降の月が経過した場合も上記の作業を繰り返し行うことにより、同様に３箇月分の暦を時計回りに順次連続して見ることができる。
【００１９】
次に、本考案の第二の実施形態を図４に基いて説明する。
図４に示すカレンダー１は、４箇月分の暦が印刷されたカレンダー用紙を重ね合わせて３枚綴りにしたものである。すなわち、このカレンダー１は、１枚目のカレンダー用紙に１月、２月、３月及び４月分の暦が印刷され、２枚目のカレンダー用紙（図示せず）に５月、６月、７月及び８月分の暦が印刷され、３枚目のカレンダー用紙（図示せず）に９月、１０月、１１月及び１２月分の暦が印刷され、これらのカレンダー用紙が綴部１５によって一体となっている。
【００２０】
また、各カレンダー用紙の夫々には、右下の位置に１月、５月、９月の暦が、左下の位置に２月、６月、１０月の暦が、左上の位置に３月、７月、１１月の暦が、さらに、右上の位置に４月、８月、１２月の暦が印刷されている。すなわち、各カレンダー用紙に印刷される４箇月分の暦は、各カレンダー用紙の右下に位置する暦から時計回りに順次連続するようになっている。
なお、各カレンダー用紙の夫々には、経過した月の暦を簡単に切り離すことができるようにミシン目１ａ，１ｂが上記第一の実施形態と同様に施してある。
【００２１】
このような構成を採用することにより、例えば、１月が経過して１月の暦を切り離すと、その下に綴られたカレンダー用紙の５月の暦が表れて、その前の月である４月の暦と隣接することになる。したがって、上述した第一の実施形態と同様に、カレンダーの利用者は２月、３月、４月、５月の暦と時計回りに順次連続して見ることができる。
【００２２】
次に、本考案の第三の実施形態を図５に基いて説明する。
図５に示すカレンダー１は、６箇月分の暦が印刷されたカレンダー用紙を重ね合わせて２枚綴りにしたものである。すなわち、このカレンダー１は、１枚目のカレンダー用紙に１月、２月、３月、４月、５月及び６月分の暦が印刷され、２枚目のカレンダー用紙（図示せず）に７月、８月、９月，１０月、１１月及び１２月分の暦が印刷され、これらのカレンダー用紙を綴部１５で一体としたものである。
【００２３】
また、カレンダー用紙には、右上に１月又は７月の暦が位置し、その隣りに２月〜６月又は８月〜１２月の暦が時計回りに順次連続するように印刷されている。なお、各カレンダー用紙には、経過した月の暦を簡単に切り離すことができるようにミシン目１ａ，１ｂが同様に施されている。
【００２４】
このような構成を採用することにより、例えば、１月が経過して１月の暦を切り離すと、その下に綴られたカレンダー用紙の７月の暦が表れて、その前の月である６月の暦と隣接することになる。したがって、上述した第一の実施形態と同様に、カレンダーの利用者は２月、３月、４月、５月、６月、７月の暦と時計回りに順次連続して見ることができる。
【００２５】
上述した実施形態は吊下げ式のカレンダーについての説明であるが、本考案は図６（ａ）〜（ｃ）に示すように卓上式のカレンダーであっても良い。
この場合、カレンダーの上方から暦を切り離すことになるため、カレンダーの上部に位置していた綴部を下部に位置するようにカレンダーを逆向きにすると共に、カレンダー用紙に印刷される暦も逆向きにする。
これにより、卓上式にした場合であっても、カレンダー用紙から経過した月の暦を切り離すことができ、かつ、切り離し後に表れる暦が、該暦の前の月の暦と隣接するため、カレンダーの利用者は暦を時計回りに順次連続して見ることができる。
なお、説明は省略するが、卓上式のカレンダーとする場合には、カレンダーの背面等に支持具や台紙等の常套手段が必要となることは言うまでもない。
【００２６】
以上の本考案の実施形態においては、暦を時計回りに順次連続して見ることができるカレンダーについて説明したが、本考案はこれに何ら限定されるものではなく、例えば、反時計回りに順次連続するように、カレンダー用紙に暦を印刷したものであっても良い。
また、上述の実施形態におけるカレンダーは、１年分のカレンダー用紙を重ね合わせたものであるが、複数年分のカレンダー用紙を重ね合わせて綴ったものであっても良い。
【００２７】
【考案の効果】
以上に説明したように、少なくとも３箇月分の暦を印刷したカレンダー用紙を少なくとも１年分重ね、経過した月の暦を切り離すことができるカレンダーにおいて、前記カレンダー用紙から経過した月の暦を切り離すことによって表れる暦が、該暦の前の月の暦と隣接することにより、カレンダー利用者は暦を時計回り（又は反時計回り）に順次連続して見ることができ、暦が順次連続しないことによって生ずる違和感がない。
【００２８】
また、カレンダー用紙の形状を三角形（逆三角形）、四角形又は六角形状にすることにより、意匠的にも優れた効果を奏する。さらに、経過した月の暦が切り離せるようにミシン目を施すことにより、経過した月はハサミ等を使わずに簡単に切り離すことができる。
【図面の簡単な説明】
【図１】本考案の第一の実施形態に係るカレンダーの説明図である。
【図２】本考案の第一の実施形態に係るカレンダーの各カレンダー用紙の説明図である。
【図３】本考案の第一の実施形態に係るカレンダーの使用状態を示す説明図である。
【図４】本考案の第二の実施形態に係るカレンダーの説明図である。
【図５】本考案の第三の実施形態に係るカレンダーの説明図である。
【図６】本考案のその他のバリエーションについての説明図である。
【図７】従来の複数箇月を表示するカレンダーを示す説明図である。
【符号の説明】
１　　　カレンダー
１ａ　　ミシン目
１ｂ　　ミシン目
１１　　１枚目のカレンダー用紙
１１ａ　１月の暦
１１ｂ　２月の暦
１１ｃ　３月の暦
１２　２枚目のカレンダー用紙
１２ａ　４月の暦
１２ｂ　５月の暦
１２ｃ　６月の暦
１３　　３枚目のカレンダー用紙
１３ａ　７月の暦
１３ｂ　８月の暦
１３ｃ　９月の暦
１４　　４枚目のカレンダー用紙
１４ａ　１０月の暦
１４ｂ　１１月の暦
１４ｃ　１２月の暦
１５　　綴部
【図１】
0003098614.tif 000003
【図２】
0003098614.tif 000004
【図３】
0003098614.tif 000005
【図４】
0003098614.tif 000006
【図５】
0003098614.tif 000007
【図６】
0003098614.tif 000008
【図７】
0003098614.tif 000009